(57)【要約】      （修正有）【課題】底の広い容器を用いても切り花の傾きを小さくできる花立て及び花立て用補助具を提供する。【解決手段】真空二重壁構造の花立て容器であり、円形の開口３が狭く、下端部の円形の底４が広く形成されている。花立て用補助具１０は開口から花立て容器１Ａの中に挿入されて底の上にセット可能になっている。花立て用補助具は弾性変形可能で、花立て容器の底より少しだけ小さい盤状部材１１を有し、端縁１２より中央寄りに、切り花２０の下端２１を係止する円筒状の係止部１３、１４が突設されている。盤状部材の端縁１２には円筒状の立ち上げ部１５が設けられており、盤状部材が横に移動しようとしたとき、花立て容器の側壁６に当接して横ずれを阻止する。花立て用補助具は全体が弾性変形可能で、かつ耐熱性と耐冷性を持つシリコン樹脂により形成されている。【選択図】図２
0003191859.tif 000002
【実用新案登録請求の範囲】
【請求項１】
上端に切り花を挿し入れる開口を有し、底が広い花立て容器と、
花立て容器内の底にセットする花立て用補助具とを備え、
花立て用補助具は、
花立て容器内の底と同じか少しだけ小さい大きさの盤状部材を有し、
盤状部材の上面の内、端縁より中央寄りに、切り花の下端を係止する係止部を
突設し、
花立て用補助具全体を弾性変形可能に形成したこと、
を特徴とする花立て。
【請求項２】
係止部は円状または同心円状に設けたこと、
を特徴とする請求項１記載の花立て。
【請求項３】
盤状部材の端縁に沿って立ち上がり部を設けたこと、
を特徴とする請求項１または２記載の花立て。
【請求項４】
容器は真空二重壁構造としたこと、
を特徴とする請求項１乃至３の内のいずれか一項記載の花立て。
【請求項５】
上端に切り花を挿し入れる開口を有し、底が広い花立て容器内の底にセットする花立て用補助具であって、
花立て用補助具は、全体が弾性変形可能に形成されており、
花立て容器内の底と同じか少しだけ小さい大きさの盤状部材を有し、
盤状部材の上面の内、端縁より中央寄りに、切り花の下端を係止する係止部を
突設したこと、
を特徴とする花立て用補助具。
【請求項６】
係止部は円状または同心円状に設けたこと、
を特徴とする請求項５記載の花立て用補助具。
【請求項７】
盤状部材の端縁に沿って立ち上がり部を設けたこと、
を特徴とする請求項５または６記載の花立て用補助具。
【考案の詳細な説明】
【技術分野】
【０００１】
本考案は花立て及び花立て用補助具に係り、とくに底の広い容器を用いた場合に適した花立て及び花立て用補助具に関する。
【背景技術】
【０００２】
家庭、オフィス等で花を飾る場合、ガラス製や陶器製の筒型の容器に水を入れて切り花を挿すようにしている。この場合、図１に示す如く底の広い容器１を用いると安定性が高く、容器１が倒れる心配がない。
けれども、底の広い容器１では、安定性は高いが切り花２の下端が底の周縁に係止されるため、容器１に挿した切り花２が大きく傾いてしまい、美観が悪くなる欠点があった。
【先行技術文献】
【特許文献】
【０００３】
【特許文献１】特開２００９−１３１４２２号公報
【考案の概要】
【考案が解決しようとする課題】
【０００４】
本考案は上記した従来技術の問題に鑑みなされたもので、底の広い容器を用いても切り花の傾きを小さくできる花立て及び花立て用補助具を提供することを、その目的とする。
【課題を解決するための手段】
【０００５】
本考案の請求項１記載の花立てでは、上端に切り花を挿し入れる開口を有し、底が広い花立て容器と、花立て容器内の底にセットする花立て用補助具とを備え、花立て用補助具は、花立て容器内の底と同じか少しだけ小さい大きさの盤状部材を有し、盤状部材の上面の内、端縁より中央寄りに、切り花の下端を係止する係止部を突設し、花立て用補助具全体を弾性変形可能に形成したこと、を特徴としている。
本考案の請求項２記載の花立てでは、係止部は円状または同心円状に設けたこと、を特徴としている。
本考案の請求項３記載の花立てでは、盤状部材の端縁に沿って立ち上がり部を設けたこと、を特徴としている。
本考案の請求項４記載の花立てでは、容器は真空二重壁構造としたこと、を特徴としている。
本考案の請求項５記載の花立て用補助具では、上端に切り花を挿し入れる開口を有し、底が広い花立て容器内の底にセットする花立て用補助具であって、全体が弾性変形可能に形成されており、花立て容器内の底と同じか少しだけ小さい大きさの盤状部材を有し、盤状部材の上面の内、端縁より中央寄りに、切り花の下端を係止する係止部を突設したこと、を特徴としている。
本考案の請求項６記載の花立て用補助具では、係止部は円状または同心円状に設けたこと、を特徴としている。
本考案の請求項７記載の花立て用補助具では、盤状部材の端縁に沿って立ち上がり部を設けたこと、を特徴としている。
【考案の効果】
【０００６】
本考案によれば、底の広い容器であっても、切り花の傾きを小さくして活けることができる。
また、容器の口が小さくても、補助具を折り曲げることで容易に出し入れできる。
また、水の入れ替え時に容器が傾けられても、端縁が立ち上げられているので、補助具が側壁側にずれることがない。
また、補助具により容器の底壁が保護されるので、切り花の先端が尖っていても容器の底に穴があく恐れはない。
また、容器を真空二重壁構造としたことにより、夏場、容器に入れた冷水が温まり難くなり切り花が永持ちする。
【図面の簡単な説明】
【０００７】
【図１】従来の底が広い花立て容器の問題点を説明する説明図である。
【図２】本考案の一実施例に係る花立て用補助具付の花立ての使用状態を示す断面図である（実施例１）。
【図３】図２中の花立て用補助具の外観斜視図である。
【図４】図２中の花立て用補助具の平面図である。
【図５】図２中の花立て用補助具の使用方法を示す説明図である。
【考案を実施するための最良の形態】
【０００８】
以下、本考案の最良の形態を実施例に基づき説明する。
【実施例１】
【０００９】
次に、図２乃至図５を参照して本考案の一実施例を説明する。図２は本考案の一実施例に係る花立て用補助具付の花立ての使用状態を示す断面図、図３は図２中の花立て用補助具の外観斜視図、図４は図２中の花立て用補助具の平面図、図５は図２中の花立て用補助具の使用方法を示す説明図である。
図２において、１Ａは保温性の高い真空二重壁構造の花立て容器であり、上端に設けられた円形の開口３が狭く、下端部の円形の底４が広いポット形状に形成されている。花立て容器１Ａの底４の中央部は上方に向けドーム状に突設されてドーム部５となっている。
【００１０】
１０は花立て用補助具であり、開口３から花立て容器１Ａの内部に出し入れ自在に挿入されて底４の上にセット可能になっている。花立て用補助具１０は図３、図４に示す如く、弾性変形可能で、花立て容器１の内部の底４と同じか少しだけ小さい大きさの盤状部材１１を有し、この盤状部材１１の上面の内、端縁１２より中央寄りに、切り花２０の下端２１を係止する円筒状の係止部１３、１４が同心円状に突設してある。盤状部材１１の中央部は１段高くなってドーム部５に被嵌可能になつている。盤状部材１１の端縁１２には円筒状に立ち上げた立ち上がり部１５が設けられており、盤状部材１１が横に移動しようとしたとき、立ち上がり部１５が花立て容器１の側壁６の下端部に当接して横ずれが阻止されるようになっている。花立て用補助具１０は全体が弾性変形可能で、かつ耐熱性と耐冷性を持つシリコン樹脂等の素材により形成されている。
【００１１】
次に、花立て用補助具付の花立ての使用方法を説明する。
開口３が狭く底４が広い花立て容器１Ａに切り花２０を活けたい場合、図５に示す如く花立て用補助具１０を手で折り曲げて断面を小さくし( 二点鎖線Ａ参照) 、開口３から花立て容器１Ａの内部に入れたのち、底４の上で折り曲げを解放し、花立て用補助具１０を広げた状態でセットする。花立て用補助具１０の中央部分は一段高くなってドーム部５に被嵌されるので、花立て用補助具１０がドーム部５に乗り上げて不安定化することはない。
【００１２】
このあと、花立て容器１Ａの開口３から冷水３０を入れ、更に切り花２０を挿して下端２１を花立て用補助具１０の係止部１３又は１４に係止させる( 図１参照) 。切り花２０の下端２１を係止部１３又は１４に係止させることで、底４の広い花立て容器１Ａであっても、切り花２０の傾きを小さくして活けることができる。切り花２０を複数本挿すときは、係止部１３と１４の両方に係止させても良い。花立て用補助具１０により花立て容器１の底４が保護されるので、切り花２０の下端が尖っていても直接、底４に当たらず、底４に穴があく恐れはない。
【００１３】
花立て容器１Ａは真空二重壁構造なので、夏場でも中の冷水３０が温まり難く、切り花２０は永持ちする。氷を入れることにより一層永持ちさせることもできる。
花立て容器１Ａの水を取り替えたい場合、花立て容器１Ａを傾けて開口３から水３０を捨てるが、この際、花立て用補助具１０の端縁１２に設けられた立ち上がり部１５が側壁６の下端部に当接して側壁６に沿って移動するのが阻止されるので、花立て用補助具１０が底４からずれることはない。
【００１４】
この実施例によれば、底４の広い花立て容器１Ａであっても、切り花２０の傾きを小さくして活けることができる。
また、花立て容器１Ａの上端の開口３が比較的小さくても、花立て用補助具１０を折り曲げて容易に花立て容器１Ａの中に出し入れできる。
また、水の入れ替え時に花立て容器１Ａが傾けられても、花立て用補助具１０の端縁６が立ち上げられているので、花立て用補助具１０が側壁６の側にずれることがない。
また、花立て用補助具１０により花立て容器１Ａの底４が保護されるので、切り花２０の下端２１が尖っていても底４に穴があいて水漏れする恐れがない。
また、花立て容器１Ａを真空二重壁構造としたことにより、夏場、花立て容器１Ａに入れた冷水３０が温まり難くなり切り花２０が永持ちする。
また、花立て用補助具１０の素材はシリコン樹脂等のプラスチック素材で良く、安価にできる。
【００１５】
なお、花立て容器には保温ポットなどの台所用品を転用することもできる。また、花立て容器の底にセットした花立て用補助具を取り出し易くするため、係止部に丸穴を開けるなどして、指掛け部を設けるようにしても良い。また、係止部は一重としても良い。
【産業上の利用可能性】
【００１６】
本考案は、家庭、オフィス、宗教施設、イベント会場等で切り花を活ける容器に適用できる。
【符号の説明】
【００１７】
１Ａ  花立て容器
３  開口
４  底
１０  花立て用補助具
１１  盤状部材
１２  端縁
１３、１４  係止部
１５  立ち上がり部
２０  切り花
【図１】
0003191859.tif 000003
【図２】
0003191859.tif 000004
【図３】
0003191859.tif 000005
【図４】
0003191859.tif 000006
【図５】
0003191859.tif 000007